(57)【要約】【課題】常時着用に際して、日常作業に支障のないサイズの救命胴衣であって、水中に転落したときには直ちに自動ガス充気装置が作動し、常時着用に際して降雨や波しぶきを浴びても自動ガス充気装置が誤作動しない常時着用型救命胴衣。【解決手段】左右二つの袋状前身ごろの内面から胴衣背当部上部の内面に、長尺の浮力体が収納されてなる常時着用型救命胴衣において、一方の袋状前身ごろに収納された浮力体には連通する自動ガス充気装置が取り付けられ、自動ガス充気装置を取り付けた浮力体の端部は自動ガス充気装置の注水孔に被さらないように三つ以上に折り畳まれ、他方の袋状前身ごろに収納された浮力体には呼気式充気装置が取り付けられ、呼気式充気装置を取り付けた浮力体の端部は二つ以上に折り畳まれ、胴衣背当部首部固定ベルトを通過する浮力体は、その両側端の一部が重なるように円筒状に巻いて該浮力体及び前記首部固定ベルトが折り畳まれ、該浮力体が縮小されて収納されてなる常時着用型救命胴衣。【選択図】  図１
2004168160.tif 000002
【特許請求の範囲】
【請求項１】
左右二つの、内側気室カバーと外側気室カバーよりなる袋状前身ごろとメッシュ製胴衣背当部を結合してなる袖無し袋状胴衣であって、該袋状前身ごろの内面から胴衣背当部上部の内面に、長尺の浮力体が収納され、該袋状前身ごろの脇縁に設けた面ファスナーによって該浮力体が封鎖固定されてなり、前身ごろの長さは、４００〜７００ｍｍであり、前身ごろ及び胴衣背当部の下縁を結合するベルトを有する常時着用型救命胴衣において、一方の袋状前身ごろに収納された浮力体には連通する自動ガス充気装置が取り付けられ、自動ガス充気装置を取り付けた浮力体の端部は自動ガス充気装置の注水孔に被さらないように三つ以上に折り畳まれ、他方の袋状前身ごろに収納された浮力体には呼気式充気装置が取り付けられ、呼気式充気装置を取り付けた浮力体の端部は二つ以上に折り畳まれ、胴衣背当部首部固定ベルトを通過する浮力体は、その両側端の一部が重なるように円筒状に巻いて該浮力体及び前記首部固定ベルトが折り畳まれ、該浮力体が縮小されて収納されてなることを特徴とする常時着用型救命胴衣。
【請求項２】
自動ガス充気装置が取り付けられた浮力体を収納する内側気室カバーの、該自動ガス充気装置に設けられた注水孔より下方の内側気室カバーに、１個の直径が１〜５ｍｍであり、合計面積が６００〜３，０００ｍｍ２である流体通過用孔を有する縦１０〜３０ｍｍ、横８０〜１２０ｍｍの寸法の通気シートが設けられてなることを特徴とする請求項１記載の常時着用型救命胴衣。
【請求項３】
通気シートがメッシュシートであることを特徴とする請求項１又は２記載の常時着用型救命胴衣。
【発明の詳細な説明】
【０００１】
【発明の属する技術分野】
本発明は、常時着用型救命胴衣に関する。さらに詳しくは、緊急時にのみ着用する救命胴衣ではなく、常時、すなわち、水上作業中に着用して、作業中に水に落ちても、内蔵している自動ガス充気装置が作動して、直ちに救命胴衣として役立つ安全な常時着用型救命胴衣に関する。
【０００２】
【従来の技術】
従来より、沈没又は墜落等の緊急時に直面したときに着用する救命胴衣と、緊急時になる前から常時着用する常時着用型救命胴衣が知られていた。
水上において激しい作業を行う漁船又は海上レジャー船舶等では、船の定員数の常時着用型救命胴衣を常備品として備え付けることが望ましく、また、これらの船舶では、常時着用型救命胴衣の常備が法的に義務づけられる傾向にある。
常時着用型救命胴衣は、これを着用したまま作業を行う必要があるため、軽量であるのみでなく、緊急時以外の日常作業時に手足の行動がなるべく自由である必要がある。特に常時着用型救命胴衣の前身ごろが長いと作業中にしゃがんだとき、又は手作業を行うときに、常時着用型救命胴衣の下縁が邪魔になる。常時着用型救命胴衣の前身ごろの長さは短い方が望ましい。
常時着用型救命胴衣は、緊急時の対応のため自動膨脹式救命胴衣であることが推奨されている。自動膨脹式救命胴衣には自動ガス充気装置を装着した浮力体が収納されている。自動ガス充気装置の標準的構成は、膨脹用カートリッジ、作動レバー、撃針、ボンベの封緘板、ガスボンベよりなっている。自動ガス充気装置の作動機構は、自動膨脹救命胴衣着用者が水中に落ち、救命胴衣が水没すると自動ガス充気装置の注水孔から水が入り、続いて膨脹用カートリッジ内に浸入した水によって紙芯が溶け、紙芯によって圧縮状態に保持されていたバネが動き、作動レバーを押し、これにより撃針がボンベの封緘板を貫通し、ガスボンベからガスが噴出し連通している浮力体に注入する方式になっている。自動ガス充気装置の注水孔から水が入った後、ガスボンベからガスが噴出し、連通している浮力体に注入するまでは瞬時に起こるように設計、製作されている。従って自動膨脹救命胴衣着用者が水中に落ちてから、浮力体が膨脹するまでの律速段階は自動ガス充気装置の注水孔に水が到達する過程にある。
従来の自動膨脹式救命胴衣は、自動ガス充気装置を装着した浮力体を収納するカバーの隙間から浸入水が流入するのに抵抗が大きいために、落水時に自動ガス充気装置へ浸入水の到達時間が長い欠点があった。船舶品型式承認基準の判定基準には、自動膨脹救命胴衣を水中に沈めたとき、１０秒以内に自動ガス充気装置が作動することを要求している。
一般に膨脹式救命胴衣に用いる浮力体は、長尺の一体的袋からなり、救命胴衣内部に平面的に折り畳んで収納する。従来の浮力体は、着用者の首の後ろを回って前身ごろの内部に馬蹄形の形状に収納するため、胴衣のサイズはこれに見合った大きさにしなければならないか、または、胴衣のサイズを縮小するために無理に浮力体を折り畳むことになった。大きいサイズの救命胴衣は作業性が悪く、無理に折り畳むと救命胴衣着用者が水中に転落したときに自動ガス充気装置の作動に時間がかかり過ぎるか、最悪の場合には自動ガス充気装置が作動しない事態になり、空隙部の大きい自動膨脹式救命胴衣は、通常の船上作業において雨水や波しぶきなどで自動ガス充気装置が誤作動する欠点がある。
【特許文献１】
特開平７−２１５２８２号公報
【０００３】
【発明が解決しようとする課題】
本発明は、常時着用に際して、日常作業に支障のないサイズの救命胴衣であって、水中に転落したときには直ちに自動ガス充気装置が作動し、常時着用に際して降雨や波しぶきを浴びても自動ガス充気装置が誤作動しない常時着用型救命胴衣を提供することを目的としている。
【０００４】
【課題を解決するための手段】
本発明者らは、鋭意研究の結果、特定の方法によって折り畳み縮小した長尺の浮力体を収納することによって、常時着用に際して、日常作業に支障のないサイズの救命胴衣にすることができ、水中に転落したときには直ちに自動ガス充気装置が作動し、常時着用に際して降雨や波しぶきを浴びても自動ガス充気装置が誤作動しない常時着用型救命胴衣を提供できることを見出し、この知見に基づいて本発明を完成するにいたった。
すなわち本発明は、
（１）左右二つの、内側気室カバーと外側気室カバーよりなる袋状前身ごろとメッシュ製胴衣背当部を結合してなる袖無し袋状胴衣であって、該袋状前身ごろの内面から胴衣背当部上部の内面に、長尺の浮力体が収納され、該袋状前身ごろの脇縁に設けた面ファスナーによって該浮力体が封鎖固定されてなり、前身ごろの長さは、４００〜７００ｍｍであり、前身ごろ及び胴衣背当部の下縁を結合するベルトを有する常時着用型救命胴衣において、一方の袋状前身ごろに収納された浮力体には連通する自動ガス充気装置が取り付けられ、自動ガス充気装置を取り付けた浮力体の端部は自動ガス充気装置の注水孔に被さらないように三つ以上に折り畳まれ、他方の袋状前身ごろに収納された浮力体には呼気式充気装置が取り付けられ、呼気式充気装置を取り付けた浮力体の端部は二つ以上に折り畳まれ、胴衣背当部首部固定ベルトを通過する浮力体は、その両側端の一部が重なるように円筒状に巻いて該浮力体及び前記首部固定ベルトが折り畳まれ、該浮力体が縮小されて収納されてなることを特徴とする常時着用型救命胴衣、
（２）自動ガス充気装置が取り付けられた浮力体を収納する内側気室カバーの、該自動ガス充気装置に設けられた注水孔より下方の内側気室カバーに、１個の直径が１〜５ｍｍであり、合計面積が６００〜３，０００ｍｍ２である流体通過用孔を有する縦１０〜３０ｍｍ、横８０〜１２０ｍｍの寸法の通気シートが設けられてなることを特徴とする第１項記載の常時着用型救命胴衣、及び
（３）通気シートがメッシュシートであることを特徴とする第１項又は第２項記載の常時着用型救命胴衣、
を提供するものである。
【０００５】
【発明の実施の形態】
本発明救命胴衣に用いる内側気室カバーは、救命胴衣の袋状前身ごろの内側部分であって、外側気室カバーとともに浮力体を収納し、保護する役目を果たすものである。本発明に用いる内側気室カバーは、救命胴衣の気室カバーに使用する公知のものを特に制限なく使用することができる。例えば、６ナイロン、６６ナイロン等のポリアミド樹脂、ポリエチレンテレフタレート、ポリブチレンテレフタレート等のポリエステル樹脂、ポリアクリロニトリル樹脂、ポリアラミド樹脂、ポリエチレン、ポリプロピレン、ポリブチレン等のポリオレフィン樹脂、エチレン酢ビ共重合物、ポリビニルアセテート、ポリビニルアルコールポリビニルアセテート共重合物、ポリウレタン、ポリ塩化ビニル、ポリ塩化ビニリデン等の樹脂を単独又は混合使用して繊維化し、これより得られた合成繊維織布等を使用することができる。ポリアミド樹脂又はポリエステル樹脂より得られる合成繊維織布を特に好適に使用することができる。合成繊維素材以外でも、本発明救命胴衣に用いる内側気室カバーに適合するものであれば、天然素材の布地を使用することができる。天然素材の布地としては、綿糸、麻糸、羊毛等による繊維織布を単独又は混合して使用することができる。
本発明救命胴衣に用いる外側気室カバーは、救命胴衣の袋状前身ごろの外側部分であって、内側気室カバーとともに浮力体を収納し、保護する役目を果たすものである。本発明に用いる外側気室カバーは、救命胴衣の気室カバーに使用する公知のものを特に制限なく使用することができる。内側気室カバーと同質のものを好適に使用することができる。
本発明救命胴衣に用いる袋状前身ごろは、本発明に用いる内側気室カバーと外側気室カバーによって、本発明救命胴衣に用いる長尺の浮力体を収納し、胴衣背当部と接合し一体化して袖無し胴衣を形成することができる。
本発明救命胴衣に用いるメッシュ製胴衣背当部は、作業時の発汗などによる蒸れを放散させるためメッシュシート材でできている。用いるメッシュシート材は、公知のものを、特に制限なく使用することができる。
【０００６】
本発明救命胴衣に用いる面ファスナーは、救命胴衣を常時着用しているときには、簡単には離脱せず浮力体を封鎖固定でき、緊急時には、ガスの膨脹力によって面ファスナーが直ちに離脱できることが必要である。この目的を達成できるものであれば、公知のものを特に制限なく使用することができる。
本発明救命胴衣に用いるベルトは、胴衣の両方の袋状前身ごろと胴衣背当部の下縁を結合し、着用者の胴を回って、救命胴衣を着用者に強固に保持するものであり、水中で風雨、波浪によって激動しても着用者から救命胴衣が離脱しないものであれば、公知のものを、特に制限なく使用することができる。
本発明救命胴衣に用いる浮力体は、膨脹式救命胴衣の浮力体に用いるものを特に制限なく使用することができる。本発明救命胴衣に用いる浮力体は、長手方向の長さが１，０００〜１，４００ｍｍであり、幅が９０〜２００ｍｍのものを使用することができる。
膨脹式救命胴衣の浮力は、浮力体の袋部のサイズと注入ガス量と浮力体の伸び量によって決まる。浮力体の袋部のサイズは、所要浮力、身長、装着すべき救命胴衣のサイズ等に対応して決めることができる。浮力体の長手方向の長さが１，０００〜１，４００ｍｍであることによって、作業性を良くするための必要条件である袋状前身ごろの長さ４００〜７００ｍｍに適合できる。１，０００ｍｍより短ければ、所要浮力に対応する浮力体膨脹時内容積を保有できず、１，４００ｍｍより大きければ袋状前身ごろより長すぎて逸脱する。浮力体の幅９０〜２００ｍｍは、当該救命胴衣の所要浮力に対応する浮力体膨脹時内容積と前記長手方向の長さとの関係によって決定される。浮力体の幅は９０ｍｍより小さければ、折り曲げて収納するとき形状変形折れこみが大きくなりガスの流れを阻害する。２００ｍｍより大きければ浮力体膨脹時内容積に対応する長手方向の長さが短くなりすぎる。
【０００７】
本発明救命胴衣に用いる浮力体は、緊急時には浮力体に連結した自動ガス充気装置Ｂからガスが噴出注入され瞬時に最大容積にまで膨脹する必要がある。この目的を達成できるものであれば、公知のものを特に制限なく使用することができ、例えば、合成繊維の布地に気密性がよく、熱融着性の樹脂をコーティングし、所定の形状に裁断し、ウエルダー等によって熱融着して袋状にしたものを使用することができる。ポリアミド又はポリエステル繊維布地にエチレン酢ビ共重合樹脂又はポリウレタン樹脂をコーティングしたものを特に好適に使用することができる。
本発明救命胴衣は常時着用を目的とするため軽量である必要があり浮力体も薄くて丈夫な材料が望ましい。
本発明救命胴衣の浮力体の布地は、前記要件に適合するものであれば、公知の材料を特に制限なく使用することができる。合成繊維素材を使用した布地を特に好適に使用することができる。合成繊維素材としては、例えば、６ナイロン、６６ナイロン等のポリアミド樹脂、ポリエチレンテレフタレート、ポリブチレンテレフタレート等のポリエステル樹脂、ポリアクリロニトリル樹脂、ポリアラミド樹脂、ポリエチレン、ポリプロピレン、ポリブチレン、エチレン酢ビ共重合物、ポリビニルアセテート、ポリビニルアルコールポリビニルアセテート共重合物、ポリウレタン、ポリ塩化ビニル、ポリ塩化ビニリデン等を単独又は混合して使用することができる。ポリアミド樹脂、ポリエステル樹脂を特に好適に使用することができる。合成繊維素材以外でも、本発明に適合するものであれば、天然素材の布地に気密性が良く、熱融着性のある樹脂をコーティングし、所定の形状に裁断し、ウエルダー等によって熱融着して袋状にしたものを使用することができる。天然素材の布地としては、綿糸、麻糸、羊毛等による繊維織布を単独又は混合して使用することができる。
【０００８】
本発明救命胴衣に用いる浮力体の折り畳み方法を図面を用いて説明する。
図１は、未膨脹時の常時着用型救命胴衣の外側気室カバーを開いた内面斜視図である。
図２は、自動ガス充気装置下方に折り畳まれた浮力体の斜視図である。
図３は、呼気式充気装置下方に折り畳まれた浮力体の斜視図である。
図４は、首部固定ベルトを通過する折り畳まれた浮力体の斜視図である。
本発明救命胴衣に用いる浮力体４の折り畳み方法は、袋状前身ごろの内面からメッシュ製胴衣背当部３の上部内面に、着用者の首の後ろを回って左右同じ長さになるように折り曲げて収納された長尺の浮力体４が前身ごろ下端からはみ出している部分を次の方法で折り畳むことができる。折り畳み寸法は収納する浮力体の寸法に応じて適宜調節することができる。
本発明救命胴衣の自動ガス充気装置Ｂを取り付けた浮力体４の端部は、図２Ｄ部に示すように、Ｄ１長さ６０〜７０ｍｍ、Ｄ２長さ１００〜１１０ｍｍになるように、かつ自動ガス充気装置Ｂの注水孔８に被さらないように三つ以上に折り畳まれ、他方の袋状前身ごろの呼気式充気装置Ｃを取り付けた浮力体４の端部は図３Ｅ部に示すように、Ｅ１長さ１１０〜１２０ｍｍ、Ｅ２長さ１００〜１１０ｍｍになるように二つ以上に折り畳まれ、胴衣背当部首部固定ベルト２１を通過する浮力体４は、図４Ｆ部に示すように、Ｆ１長さ７０〜８０ｍｍ、Ｆ２長さ６０〜７０ｍｍ、Ｆ３長さ６０〜７０ｍｍになるように両側端の一部が重なるように円筒状に巻き、このため緩みのできた首部固定ベルト２０を折り畳んで収納することができる。
本発明救命胴衣の袋状前身ごろの脇縁は、船上作業時には、面ファスナー５によって封鎖固定することができる。面ファスナー５の代わりに、ボタン等で封鎖固定する方法もあるが、緊急時の急膨脹を阻害する場合があり、かつ、面ファスナーのように封鎖が完全でなく、隙間から雨水や波しぶきが流入し自動ガス充気装置Ｂを誤作動させることが多く好ましい封鎖手段ではない。
【０００９】
本発明救命胴衣に用いる自動ガス充気装置Ｂを図面を用いて説明する。
図５は、自動ガス充気装置の１例を示す斜視図である。
本発明救命胴衣に用いる自動ガス充気装置Ｂは、自動膨脹式救命胴衣に使用する公知の自動ガス充気装置から、本発明救命胴衣に適するものを選択して使用することができる。
例えば、自動ガス充気装置［日本炭酸ガス（株）製、商品名「炭酸ガスボンベ」］を好適に使用することができる。
自動ガス充気装置は、通常、主要部品が膨脹用カートリッジ９、作動レバー１３、撃針、ボンベの封緘板、小型ガスボンベ７よりなっている。救命胴衣着用者の落水等により、常時着用型救命胴衣Ａが水に沈むと、注水孔８より水が浸入し、すぐ近くにある膨脹用カートリッジ９の水浸入小孔１０から内部に入り、紙芯が溶け自動ガス充気装置Ｂが作動しガスを噴出することができる。水浸入小孔１０から浸入した水によって紙芯が濡れて溶けると、紙芯によって圧縮状態で固定されていた連結スプリングが作動し、自動的に作動レバー１３が撃針を駆動して小型ガスボンベ７の封緘板を貫通させ、小型ガスボンベ７からガスが噴出し連通している浮力体４に注入する方式になっている。自動ガス充気装置Ｂの注水孔８から水が入った後、小型ガスボンベ７からガスが噴出し、連通している浮力体４に注入するまでは瞬時に起こるように設計、製作されている。
本発明救命胴衣に用いる自動ガス充気装置Ｂの小型ガスボンベ７は、本発明救命胴衣に用いる浮力体４に適合する圧力、ガス量のものから選択して使用することができる。ガスの種類は有害性のないものであれば特に制限なく使用することができる。炭酸ガスを特に好適に使用することができる。本発明に用いる自動ガス充気装置Ｂ用の小型ガスボンベ７は、ＣＯ２９０Ｎ／１４ｇ、１００Ｎ／１７ｇ、１００／２４ｇ等を好適に使用することができる。
本発明救命胴衣に用いる自動ガス充気装置Ｂの注水孔８は、自動ガス充気装置Ｂに２個並んで設けられた小孔であって、自動ガス充気装置の内部と外部の空気が自由に出入りできる。該注水孔８は、内部に装着された膨脹用カートリッジ９の上部に２個並んで設けられた水浸入小孔１０に対峙する位置に設けられている。
また、本発明の常時着用型救命胴衣Ａは、着水前または緊急時には、手動方式によって、自動ガス充填装置Ｂに取り付けられている手動用作動索１４を引くことにより、作動レバー１３で駆動されるピンがガスボンベの封緘板を貫通させ、連結管を通って浮力体４内部にガスが瞬時に噴出し膨脹させることができる。
さらに、本発明の常時着用型救命胴衣Ａには、呼気式充気装置Ｃが装着されている。
【００１０】
本発明救命胴衣に用いる呼気式充気装置Ｃは、膨脹式救命胴衣の浮力体に用いることのできる公知の呼気式充気装置を特に制限することなく使用することができる。本発明救命胴衣に用いる呼気式充気装置Ｃは、自動ガス充気装置Ｂを装着した浮力体４の反対側の浮力体４に装着され、着水前または緊急時に、救命胴衣着用者が自ら呼気を吹き込み浮力体４を膨脹させることができる。
本発明の常時着用型救命胴衣Ａは、上記のようにバックアップ手段として手動による浮力体膨脹を行うことができるが、沈没や落水などの精神的混乱や失神等の事態に対応できるためには、着水時に自動ガス充填装置機能が迅速かつ正常に作動することが必要である。
本発明救命胴衣に用いる胴衣背当部首部固定ベルト２０は、長尺の浮力体４の中間部を胴衣背当部３上部の内面首部で逸脱しないように固定するものであって、長尺の浮力体４はこの胴衣背当部首部固定ベルト２０をくぐって左右両方の袋状前身ごろの中に収納される。
本発明救命胴衣に用いる内側気室カバー１に設ける流体通過用孔は、水または空気が通過できる孔である。水没時には迅速に水を自動ガス充気装置Ｂに導くためのものであり、通常使用時には袋状気室カバー内部の湿気を外部に放出して自動ガス充気装置Ｂの誤作動を防止するものである。流体通過用孔の一個の孔の大きさは直径１〜５ｍｍに制限する必要がある。１ｍｍより小さいと、水の浸入を阻害し、５ｍｍより大きいと雨水などの流入水が浸入し易く誤作動の原因になる。好ましくは、直径２〜４ｍｍのものを使用することができる。流体通過用孔は円形である場合に限らず三角形であっても、四角形であっても、また多角形であってもよい。円形以外の場合は、最大長さの対角線長をもって該直径として示す。
流体通過用孔は通気シート６として使用することができる。
本発明救命胴衣に用いる内側気室カバー１に設ける通気シート６は、流体通過用孔を有し、水没時に迅速に水を自動ガス充気装置Ｂに導くためのものである。従ってできるだけ自動ガス充気装置Ｂの注水孔８に近い位置に、できるだけ大きい開口部を設ける必要があるが、一方、雨水や波しぶきによる誤作動は防止できるものでなければならない。このため、通気シート６は、流下する水の影響を避けるために、自動ガス充気装置Ｂの注水孔８より上方の位置に設置せず、下方に設ける必要がある。
【００１１】
本発明救命胴衣に用いる内側気室カバー１に設ける通気シート６は、前記流体通過用孔を有する縦１０〜３０ｍｍ、横８０〜１２０ｍｍの寸法の通気シート６を設ける必要がある。縦１０ｍｍ未満では着水時、水の浸入を阻害し、３０ｍｍより大きいと雨水などの流入水が浸入し易く誤作動の原因になる他、内側気室カバー１の強度を低下させる。好ましくは縦１３〜２７ｍｍである。横８０ｍｍ未満では着水時、水の浸入を阻害し、１２０ｍｍを超えると雨水などの流入水が浸入し易く誤作動の原因になる他、内側気室カバー１の強度を低下させる。好ましくは横９０〜１１０ｍｍである。好ましくは縦２０×横１００ｍｍの長方形の通気シートを使用することができる。
上記通気シート６の条件を満たすものであれば、特に制限することなく公知の通気シートを使用することができる。メッシュシートを特に好適に使用することができる。
本発明救命胴衣に用いるメッシュシートは、前記通気シート６の条件を満たすものであれば、特に制限することなく公知のメッシュシートを使用することができる。
【００１２】
本発明の常時着用型救命胴衣Ａを図面によってさらに詳細に説明するが、図面は本発明の一態様を示すものであって、これによって、本発明はなんら限定されるものではない。図１は、未膨脹時の常時着用型救命胴衣の外側気室カバーを開いた内面斜視図である。
本発明の常時着用型救命胴衣Ａには、左右二つの、内側気室カバー１と外側気室カバー２がＧ部で結合してなる袋状前身ごろの内面からメッシュ製胴衣背当部３の内面に、長尺の浮力体４が収納されている。着水時には通気シート６を通って、該浮力体４に連通する自動ガス充気装置Ｂに設けた注水孔より水が浸入することによって瞬時に作動する自動ガス充気装置Ｂが、一方の袋状前身ごろ内の浮力体に装着されている。また、他方の袋状前身ごろ内の浮力体４には、呼気式充気装置Ｃが装着されている。通常作業時には、本発明の常時着用型救命胴衣Ａの浮力体４は、本発明救命胴衣の浮力体端部折り畳み方法を用いて収納され、内側気室カバー１の脇縁及び外側気室カバー２の脇縁に設けられた面ファスナー５によって封鎖されている。本発明の常時着用型救命胴衣Ａに用いる通気シート６は自動ガス充気装置Ｂの下方にが設けられているため、降雨等による流下水が自動ガス充気装置Ｂと接触するのを防ぐことができる。かつ、通気シート６と自動ガス充気装置Ｂとは、折り返して収納された長尺の浮力体４のＤ部によって隔てられているため、通常作業時の降雨等による通気シート６からの水の浸入が自動ガス充気装置Ｂに影響を及ぼすのを防御することができる。Ｅ部は呼気式充気装置Ｃの下方に折り畳まれた浮力体であり、Ｆ部は首部固定ベルト２０を通過する浮力体の折り畳み部分である。
本発明の常時着用型救命胴衣はベルト２１によって着用者の胴部に装着できる。
【００１３】
図２は、自動ガス充気装置下方に折り畳まれた浮力体の斜視図である。
本発明に用いる長方形状の長尺の浮力体４は、内側気室カバー１と外側気室カバー２の内面に収納され、常時着用時には面ファスナー５によって封鎖固定されている。自動ガス充気装置Ｂを装着した方の浮力体の端部は、Ｄ部で三つ以上に折り畳んで、自動ガス充気装置Ｂの注水孔に被さらないように収納されている。Ｄ１は折り畳まれた長さであり、Ｄ２は浮力体の折り畳み幅である。
図３は、呼気式充気装置下方に折り畳まれた浮力体の斜視図である。
呼気式充気装置Ｃを取り付けた浮力体４の端部は、Ｅ部で二つ以上に折り畳まれて収納されている。Ｅ１は折り畳まれた長さであり、Ｅ２は浮力体の折り畳み幅である。呼気式充気装置Ｃ下方に折り畳まれた浮力体４の端部は、自動ガス充気装置下方に折り畳まれた浮力体の場合とは異なり、呼気式充気装置Ｃに被さる形状で折り畳んで収納することができる。
図４は、首部固定ベルトを通過する折り畳まれた浮力体の斜視図である。
胴衣背当部首部固定ベルト２０を通過する浮力体４は、首部固定ベルト２０を通過する部分Ｆでは、その両側端の一部が重なるように円筒状に巻いて該浮力体を縮小し、また、浮力体がＦ部で縮小されたことによる前記首部固定ベルト２０の緩みをとるために折り畳まれて収納されている。Ｆ１は首部固定ベルト通過浮力体折り畳み円筒状長径であり、Ｆ２は首部固定ベルト通過浮力体の一方の折り畳み円筒状重なり部の長さであり、Ｆ３は首部固定ベルト通過浮力体の他方の折り畳み円筒状重なり部の長さである。
図５は、自動ガス充気装置の１例を示す斜視図である。
自動ガス充気装置Ｂは、主要部品が膨脹用カートリッジ９、作動レバー１３、撃針、ボンベの封緘板、小型ガスボンベ７よりなっている。自動ガス充気装置Ｂ内部には、キャップ１１をはずして水浸入小孔１０が設けられた膨脹用カートリッジ９を装着することができる（装着状況は膨脹用カートリッジ充填確認窓１２によって点検することができる）。着水時には注水孔８を通って水が浸入することができる。続いて膨脹用カートリッジ９に設けられた水浸入小孔１０から入った水は内部の紙芯を溶かし、紙芯によって圧縮状態に保持されていたバネが動き、作動レバー１３を押し、これにより撃針がボンベの封緘板を貫通し、小型ガスボンベ７からガスが噴出し連通している浮力体４に注入する方式になっている。本発明に用いる自動ガス充気装置Ｂには、手動によっても作動し得るように手動用作動索１４が設けられており、これを引くことにより作動レバー１３が作動する機構になっている。
【００１４】
【実施例】
以下に、実施例を挙げて本発明をさらに詳細に説明するが、本発明はこれらの実施例によりなんら限定されるものではない。
実施例１
袖無し袋状胴衣は、前身ごろの長さ４００ｍｍ、片前身ごろの幅３００ｍｍのものを作製した。この袋状前身ごろの内部に、６６ナイロン製織布にポリウレタン樹脂をコーティングした引布で、未膨脹時の全長が１，４００ｍｍ、幅が１０５ｍｍの浮力体４を装着した。この浮力体の自動ガス充気装置Ｂを装着した方の浮力体４の端部は、図２においてＤ部分のＤ１長さ６５ｍｍ、Ｄ２長さ１０５ｍｍになるように三つに折り畳んで、自動ガス充気装置Ｂの注水孔８に被さらないように収納した。呼気式充気装置Ｃを取り付けた浮力体４の端部は、図３においてＥ部分のＥ１長さ１１５ｍｍ、Ｅ２長さ１０５ｍｍになるように二つに折り畳んで収納した。胴衣背当部首部固定ベルト２０を通過する浮力体４は、図４においてＦ部分のＦ１長さ７５ｍｍ、Ｆ２長さ６５ｍｍ、Ｆ３長さ６５ｍｍになるように、かつ、両側端の一部が重なるように円筒状に巻き、このため緩みのできた首部固定ベルト２０を折り畳んで、前身ごろ両脇縁の面ファスナー５によって封鎖収納した。この浮力体にはＣＯ２１００Ｎ／１７ｇの小型炭酸ガスボンベによる自動ガス充気装置［日本炭酸ガス（株）製、商品名「炭酸ガスボンベ」］が装着してある。
この自動膨脹救命胴衣の前身ごろ内側気室カバー１に、流体通過用孔の１個の孔の直径が４ｍｍであり、合計面積が１，６００ｍｍ２である、縦２０ｍｍ、横１００ｍｍの寸法の長方形メッシュシートを、自動ガス充気装置Ｂの下端と一致して取り付けた。この自動膨脹式の常時着用型救命胴衣Ａを着用した試験者が船上作業中に激しい降雨があったが自動ガス充気装置Ｂが誤作動を起こすことはなかった。この自動膨脹救命胴衣を着用した試験者が海中に飛び込んだところ、着水３秒後に自動ガス充気装置が作動し浮力体の急膨脹を開始した。
【００１５】
実施例２
１個の直径が２ｍｍであり、合計面積が１，４００ｍｍ２である流体通過用孔よりなる縦２０ｍｍ、横９０ｍｍの寸法のメッシュシートを、自動ガス充気装置Ｂの注水孔８より２０ｍｍ下の位置で、この常時着用型救命胴衣Ａの内側気室カバー１に取り付けた以外は実施例１と同じ条件で行った。常時着用型救命胴衣Ａを着用した試験者が荒天船上作業中に激しい波しぶきを頭上から浴びたが自動ガス充気装置が誤作動を起こすことはなかった。この常時着用型救命胴衣Ａを着用した試験者が海中に飛び込んだところ、着水５秒後に自動ガス充気装置が作動し浮力体４の急膨脹を開始した。
比較例１
内側気室カバーには流体通過用孔を取り付けないこと及び自動ガス充気装置Ｂを装着した方の浮力体４の端部は、Ｄ１長さ１５０ｍｍ、Ｄ２長さ１０５ｍｍになるように二つに折り畳んで、自動ガス充気装置Ｂに被さるように収納した以外は実施例１と同じ条件の常時着用型救命胴衣Ａを着用した試験者が海中に飛び込んだところ、自動ガス充気装置が作動し浮力体の急膨脹を開始したのは着水２０秒後であった。
比較例２
流体通過用孔１個の直径が０．８ｍｍであり、合計面積が５００ｍｍ２である縦１０ｍｍ、横７０ｍｍの寸法のメッシュシートであること及び自動ガス充気装置Ｂを装着した方の浮力体４の端部は、Ｄ１長さ１２０ｍｍ、Ｄ２長さ１０５ｍｍになるように二つに折り畳んで、自動ガス充気装置Ｂに被さるように収納した以外は実施例１と同じ条件の常時着用型救命胴衣Ａを着用した試験者が海中に飛び込んだところ、自動ガス充気装置が作動し浮力体の急膨脹を開始したのは着水１５秒後であった。
【００１６】
【発明の効果】
常時着用に際して、日常作業に支障のないサイズの救命胴衣であって、水中に転落したときには直ちに自動ガス充気装置が作動し、常時着用に際して降雨や波しぶきを浴びても自動ガス充気装置が誤作動しない常時着用型救命胴衣を提供することができる。
【図面の簡単な説明】
【図１】図１は、未膨脹時の常時着用型救命胴衣の外側気室カバーを開いた内面斜視図である。
【図２】図２は、自動ガス充気装置下方に折り畳まれた浮力体の斜視図である。
【図３】図３は、呼気式充気装置下方に折り畳まれた浮力体の斜視図である。
【図４】図４は、首部固定ベルトを通過する折り畳まれた浮力体の斜視図である。
【図５】図５は、自動ガス充気装置の１例を示す斜視図である。
【符号の説明】
Ａ  常時着用型救命胴衣
Ｂ  自動ガス充気装置
Ｃ  呼気式充気装置
Ｄ  自動ガス充気装置下方に折り畳まれた浮力体
Ｄ１  自動ガス充気装置下方浮力体の折り畳み長さ
Ｄ２  自動ガス充気装置下方浮力体の折り畳み幅
Ｅ  呼気式充気装置下方に折り畳まれた浮力体
Ｅ１  呼気式充気装置下方浮力体の折り畳み長さ
Ｅ２  呼気式充気装置下方浮力体の折り畳み幅
Ｆ  首部固定ベルトを通過する折り畳まれた浮力体
Ｆ１  首部固定ベルト通過浮力体折り畳み円筒状長径
Ｆ２  首部固定ベルト通過浮力体折り畳み円筒状重なり部長さ
Ｆ３  首部固定ベルト通過浮力体折り畳み円筒状重なり部長さ
Ｇ  内側気室カバーと外側気室カバーの結合部
１  内側気室カバー
２  外側気室カバー
３  メッシュ製胴衣背当部
４  浮力体
５  面ファスナー
６  通気シート
７  小型ガスボンベ
８  注水孔
９  膨脹用カートリッジ
１０  水浸入小孔
１１  キャップ
１２  膨脹用カートリッジ充填確認窓
１３  作動レバー
１４  手動用作動索
２０  首部固定ベルト
２１  ベルト
【図１】
2004168160.tif 000003
【図２】
2004168160.tif 000004
【図３】
2004168160.tif 000005
【図４】
2004168160.tif 000006
【図５】
2004168160.tif 000007